(57)【特許請求の範囲】
【請求項１】
ユーザ機器（ＵＥ）のワイヤレス通信の方法であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイすることと、ここにおいて、前記データアクティビティ転送が、アップリンクデータ転送またはダウンリンクデータ転送のうちの１つに関係し、ここにおいて、前記第１のＲＡＴおよび前記第２のＲＡＴは、単一のＲＦチェーンを共有し、前記データ転送アクティビティがアップリンクデータであるとき、チューンアウェイすることは、少なくとも１つのタイマーを始動する、および
前記第１のＲＡＴにチューンバックし、保留中のアップリンク転送データが存在すると決定すると、前記少なくとも１つのタイマーをリセットすることと、前記少なくとも１つのタイマーのリセット時にスケジューリング要求（ＳＲ）を前記ネットワークデバイスに送ることと、前記ＵＥからのデータを送信することとによって、アップリンクデータ転送の継続を開始すること、ここにおいて、前記タイマーは、前記ＵＥに含まれ、前記ＵＥがデータ転送を要求するのをその間控える時間を定義する、あるいは、
前記データ転送アクティビティがダウンリンクデータであるとき、前記第１のＲＡＴにチューンバックすると、前記ネットワークデバイスに電力節約モードから抜けさせるために、前記ネットワークデバイスにスケジューリング要求（ＳＲ）を送ることによって、ダウンリンクデータ転送の継続を開始すること
を備える、方法。
【請求項２】
前記少なくとも１つのタイマーが、前記ＵＥのバッファステータス報告（ＢＳＲ）タイマーに対応する、請求項１に記載の方法。
【請求項３】
ダウンリンクデータ転送の継続を開始するより前に、前記ＵＥがチューンアウェイすることより前のダウンリンクデータアクティビティに関係する判定基準が満たされたかどうかを決定することをさらに備える、請求項１に記載の方法。
【請求項４】
前記判定基準は、前記ＵＥがチューンアウェイすることより前の時間期間中に前記ＵＥによって受信されたダウンリンクデータのサイズの測度（measure）を備える、請求項３に記載の方法。
【請求項５】
ワイヤレス通信のためのユーザ機器（ＵＥ）であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイするための手段と、ここにおいて、前記データアクティビティ転送が、アップリンクデータ転送またはダウンリンクデータ転送のうちの１つに関係し、ここにおいて、前記第１のＲＡＴおよび前記第２のＲＡＴは、単一のＲＦチェーンを共有し、前記データ転送アクティビティがアップリンクデータであるとき、チューンアウェイすることは、少なくとも１つのタイマーを始動する、
前記第１のＲＡＴにチューンバックし、保留中のアップリンク転送データが存在すると決定すると、前記少なくとも１つのタイマーをリセットすることと、前記少なくとも１つのタイマーのリセット時にスケジューリング要求（ＳＲ）を前記ネットワークデバイスに送ることとによって、アップリンクデータ転送の継続を開始するための手段と、ここにおいて、前記タイマーは、前記ＵＥに含まれ、前記ＵＥがデータ転送を要求するのをその間控える時間を定義する、
前記データ転送アクティビティがダウンリンクデータであるとき、前記第１のＲＡＴにチューンバックすると、前記ネットワークデバイスに電力節約モードから抜けさせるために、前記ネットワークデバイスにスケジューリング要求（ＳＲ）を送ることによって、ダウンリンクデータ転送の継続を開始するための手段と、
データを送信および受信するための手段と
を備える、ユーザ機器。
【請求項６】
ダウンリンクデータ転送の継続を開始するより前に、前記ＵＥがチューンアウェイすることより前のダウンリンクデータアクティビティに関係する判定基準が満たされたかどうかを決定するための手段をさらに備える、請求項５に記載のユーザ機器。
【請求項７】
実行されたとき、コンピュータに、請求項１乃至４のうちのいずれかに記載の方法を実行させるコンピュータ実行可能コードを記憶するコンピュータ可読媒体。
【発明の詳細な説明】
【技術分野】
【０００１】
関連出願の相互参照
[0001]  本出願は、その全体が参照により本明細書に明確に組み込まれる、２０１４年７月２５日に出願された「Method to Optimize LTE Data Performance Through Fast or Quick Scheduling Request Approach For Single Radio Hybrid Tune Away Devices」と題するＰＣＴ国際出願第ＰＣＴ／ＣＮ２０１４／０８３０２８号の利益を主張する。
【０００２】
[0002]  本開示は、一般に通信システムに関し、より詳細には、単一無線ハイブリッドチューンアウェイデバイスのための高速または迅速スケジューリング要求手法を通してＬＴＥ（登録商標）データパフォーマンスを最適化するための方法に関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することなどによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示の一態様では、方法、コンピュータプログラム製品、および装置（apparatus）が提供される。本装置、たとえば、ＵＥは、第１の無線アクセス技術（ＲＡＴ：radio access technology）を介したＵＥとネットワークデバイス（network device）との間のデータ転送アクティビティ（data transfer activity）中に、第１のＲＡＴから第２のＲＡＴにチューンアウェイ（tune away）する。データアクティビティ転送（data activity transfer）は、ＵＥからのアップリンクデータ転送（uplink data transfer）またはＵＥへのダウンリンクデータ転送（downlink data transfer）のうちの１つに関係し、チューンアウェイすることは、データ転送アクティビティに影響を及ぼすタイマー（timer）を始動（start）する。データ転送アクティビティがアップリンクデータであるとき、ＵＥは、タイマーをリセットすることと、少なくとも１つのタイマーのリセット時にスケジューリング要求（ＳＲ：scheduling request）をネットワークデバイスに送ることとによって、第１のＲＡＴにチューンバック（tune back）するとアップリンクデータ転送の継続（continuance）を開始（initiate）し得、ここにおいて、タイマーはＵＥに関連する。データ転送アクティビティがダウンリンクデータであるとき、ＵＥは、ネットワークデバイスに電力節約モードから抜け（exit）させることによって、第１のＲＡＴにチューンバックするとダウンリンクデータ転送の継続を開始し得、ここにおいて、タイマーは、ネットワークデバイスに関連し、電力節約モードのサイクル（cycle）を定義する。
【図面の簡単な説明】
【０００６】
【図１】[0006]  ネットワークアーキテクチャの一例を示す図。
【図２】[0007]  アクセスネットワークの一例を示す図。
【図３】[0008]  ＬＴＥにおけるＤＬフレーム構造の一例を示す図。
【図４】[0009]  ＬＴＥにおけるＵＬフレーム構造の一例を示す図。
【図５】[0010]  ユーザプレーンおよび制御プレーンのための無線プロトコルアーキテクチャの一例を示す図。
【図６】[0011]  アクセスネットワーク中の発展型ノードＢおよびユーザ機器（user equipment）の一例を示す図。
【図７】[0012]  複数のワイヤレスネットワークが重複するカバレージを有する例示的な展開を示す図。
【図８】[0013]  ＵＥとｅＮＢとの間のアップリンクデータ転送アクティビティに関与するコールフロー図。
【図９】[0014]  ＵＥとｅＮＢとの間のダウンリンクデータ転送アクティビティに関与するコールフロー図。
【図１０】[0015]  ワイヤレス通信（wireless communication）の方法のフローチャート。
【図１１】[0016]  例示的な装置中の異なるモジュール／手段／構成要素間のデータフローを示す概念データフロー図。
【図１２】[0017]  処理システムを採用する装置のためのハードウェア実装形態の一例を示す図。
【発明を実施するための形態】
【０００７】
[0019]  添付の図面に関して以下に示す発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0020]  次に、様々な装置および方法に関して電気通信システムのいくつかの態様を提示する。これらの装置および方法を、以下の発明を実施するための形態において説明し、（「要素（element）」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課せられる設計制約に依存する。
【０００９】
[0021]  例として、要素、または要素の任意の部分、または要素の任意の組合せは、１つまたは複数のプロセッサ（processor）を含む「処理システム（processing system）」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0022]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体（computer-readable medium）上に記憶されるか、あるいはコンピュータ可読媒体上に１つまたは複数の命令またはコード（code）として符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１１】
[0023]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ：user equipment）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0024]  Ｅ−ＵＴＲＡＮは、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（backhaul）（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0025]  ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ（serving gateway）１１６と、マルチメディアブロードキャストマルチキャストサービス（ＭＢＭＳ：Multimedia Broadcast Multicast Servic）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0026]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル（cell）」という用語は、ｅＮＢの最も小さいカバレージエリアを指すことがあり、および／またはｅＮＢサブシステムサービングは特定のカバレージエリアである。さらに、「ｅＮＢ」、「基地局」、および「セル」という用語は、本明細書では互換的に使用され得る。
【００１５】
[0027]  アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課せられる全体的な設計制約に依存することになる。
【００１６】
[0028]  ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１７】
[0029]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0030]  以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間（spacing）は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0031]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックス（normal cyclic prefix）の場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックス（extended cyclic prefix）の場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0032]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２１】
[0033]  ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0034]  初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みのみを行うことができる。
【００２３】
[0035]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0036]  ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２５】
[0037]  ＰＤＣＰサブレイヤ５１４は、異なる無線ベアラ（radio bearer）と論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、消失データパケット（lost data packet）の再送信と、ハイブリッド自動再送要求（ＨＡＲＱ：hybrid automatic repeat request）による、順番の乱れた受信（out-of-order reception）を補償するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまた、ＨＡＲＱ動作を担当する。
【００２６】
[0038]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２７】
[0039]  図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、消失パケットの再送信と、ＵＥ６５０へのシグナリングとを担当する。
【００２８】
[0040]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーション（signal constellation）へのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（reference signal）（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器（channel estimator）６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0041]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３０】
[0042]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0043]  ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、消失パケットの再送信と、ｅＮＢ６１０へのシグナリングとを担当する。
【００３２】
[0044]  ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0045]  ＵＬ送信は、ＵＥ６５０における受信機機能に関して説明した様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実装し得る。
【００３４】
[0046]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットは、コアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0047]  いくつかの技法は、無線アクセスネットワーク（ＲＡＮ：radio access network）のいくつかの周波数帯域上での動作のために確立された要件に準拠するワイヤレスデバイス動作モードを与えるように設計されている。１つのそのような技法は、ワイヤレスデバイスが、拡張ネットワーク（たとえば、ロングタームエボリューション、すなわちＬＴＥネットワーク）のサービスと地理的に重複するサービスを提供するレガシーネットワーク（たとえば、ＣＤＭＡ２０００  １ｘまたは単に「１ｘ」ネットワーク）からボイスサービスを受信することを伴う。
【００３６】
[0048]  ＬＴＥとＣＤＭＡの両方をサポートするネットワークでは、ＵＥチップセットがＬＴＥとＣＤＭＡ  １ｘの両方をサポートすることが必要であり得る。ＬＴＥにおいて動作しながら１ｘを監視することをサポートするための２つのシステムアーキテクチャがあり得る。第１のアーキテクチャは、一方がＬＴＥ用であり、他方が１ｘ用である、２つの別個の無線周波数（ＲＦ）チェーンを有し得る。このアーキテクチャは、ＬＴＥデータ呼がアクティブであるとき、１ｘボイスページが並列に復号されることを可能にし得る。このアーキテクチャ／アルゴリズムは、一般にＳＶＬＴＥ（同時ボイスおよびＬＴＥ：simultaneous voice and LTE）と呼ばれる。Ｑｕａｌｃｏｍｍ（登録商標）からのＭＳＭ８９６０（登録商標）チップセットはこのアーキテクチャを使用する。
【００３７】
[0049]  別のアーキテクチャはただ１つのＲＦチェーンを有し得る。このＲＦチェーンは、ＬＴＥと１ｘとの間で共有される必要があり得、ＬＴＥ技術とＣＤＭＡ技術とが同時にアクティブでないことがあるという制約がある。１ｘページングを監視するために、ＵＥは、ＬＴＥデータ呼がアクティブである間にＬＴＥから周期的にチューンアウェイする必要があり得る。１つのＲＦチェーンアーキテクチャは、バッテリー消費を改善し、基板面積と部品表（ＢＯＭ：bill of material）とを節約するが、ＬＴＥデータ呼がアクティブである間にＵＥが１ｘボイスページを周期的に監視しなければならないときに問題が起こり得る。１ｘへのＲＦチューン時間中に、ＬＴＥ呼は中断またはほぼ中断され、これは、ネットワークによって予想されないことがある、ＬＴＥ  ＵＥ機能の途絶をもたらし得る。
【００３８】
[0050]  図７に、複数のワイヤレスネットワークが重複するカバレージを有する例示的な展開を示す。発展型ユニバーサル地上波無線アクセスネットワーク（Ｅ−ＵＴＲＡＮ）７２０は、ＬＴＥをサポートし得、いくつかの発展型ノードＢ（ｅＮＢ）７２２と、ユーザ機器（ＵＥ）のためのワイヤレス通信をサポートすることができる他のネットワークエンティティとを含み得る。各ｅＮＢは、特定の地理的エリアに通信カバレージを与え得る。「セル」という用語は、ｅＮＢのカバレージエリアおよび／またはこのカバレージエリアをサービスするｅＮＢサブシステムを指すことがある。サービングゲートウェイ（Ｓ−ＧＷ）７２４は、Ｅ−ＵＴＲＡＮ７２０と通信し得、パケットルーティングおよびフォワーディング、モビリティアンカリング、パケットバッファリング、ネットワークトリガ型サービスの開始などの様々な機能を実行し得る。モビリティ管理エンティティ（ＭＭＥ：mobility management entity）７２６は、Ｅ−ＵＴＲＡＮ７２０およびサービングゲートウェイ７２４と通信し得、モビリティ管理、ベアラ管理、ページングメッセージの配信、セキュリティ制御、認証、ゲートウェイ選択などの様々な機能を実行し得る。ＬＴＥにおけるネットワークエンティティは、公開されている「Evolved Universal Terrestrial Radio Access (E-UTRA) and Evolved Universal Terrestrial Radio Access Network (E-UTRAN); Overall description」と題する３ＧＰＰ  ＴＳ３６．３００に記載されている。
【００３９】
[0051]  無線アクセスネットワーク（ＲＡＮ）７３０は、１ｘＲＴＴをサポートし得、いくつかの基地局７３２と、ＵＥのためのワイヤレス通信をサポートすることができる他のネットワークエンティティとを含み得る。モバイル交換センター（ＭＳＣ）７３４は、ＲＡＮ７３０と通信し得、ボイスサービスをサポートし、回線交換呼のためのルーティングを行い、ＭＳＣ７３４によってサービスされるエリア内に位置するＵＥのためのモビリティ管理を実行し得る。相互作用機能（ＩＷＦ：inter-working function）７４０は、ＭＭＥ７２６とＭＳＣ７３４との間の通信を可能にし得る。１ｘＲＴＴ中のネットワークエンティティは、３ＧＰＰ２から公開されている文書に記載されている。
【００４０】
[0052]  Ｅ−ＵＴＲＡＮ７２０、サービングゲートウェイ７２４、およびＭＭＥ７２６は、ＬＴＥネットワーク７０２の一部であり得る。ＲＡＮ７３０およびＭＳＣ７３４は、１ｘＲＴＴネットワーク７０４の一部であり得る。簡単のために、図７は、ＬＴＥネットワークおよび１ｘＲＴＴネットワーク中のいくつかのネットワークエンティティのみを示している。ＬＴＥおよび１ｘＲＴＴネットワークは、様々な機能およびサービスをサポートし得る他のネットワークエンティティをも含み得る。
【００４１】
[0053]  概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。
【００４２】
[0054]  ＵＥ７１０は、固定または移動であり得、移動局、端末、アクセス端末、加入者ユニット、局などと呼ばれることもある。ＵＥ７１０は、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。
【００４３】
[0055]  電源投入時に、ＵＥ７１０は、それが通信サービスを受信することができるワイヤレスネットワークを探索し得る。２つ以上のワイヤレスネットワークが検出された場合、ＵＥ７１０をサービスするために、最高優先度をもつワイヤレスネットワークが選択され得、サービングネットワークと呼ばれることがある。ＵＥ７１０は、必要な場合、サービングネットワークへの登録を実行し得る。ＵＥ７１０は、次いで、サービングネットワークとアクティブに通信するために接続モードで動作し得る。代替的に、ＵＥ７１０は、アクティブ通信がＵＥ７１０によって必要とされない場合、アイドルモード（idle mode）で動作し、サービングネットワークにキャンプオン（camp on）し得る。
【００４４】
[0056]  ＵＥ７１０は、アイドルモードにある間、複数の周波数および／または複数のＲＡＴのセルのカバレージ内に位置し得る。ＬＴＥの場合、ＵＥ７１０は、優先度リストに基づいてキャンプオンすべき周波数とＲＡＴとを選択し得る。この優先度リストは、周波数のセットと、各周波数に関連するＲＡＴと、各周波数に割り当てられた優先度とを含み得る。たとえば、優先度リストは３つの周波数Ｘ、ＹおよびＺを含み得る。周波数Ｘは、ＬＴＥのために使用され得、最高優先度を有し得、周波数Ｙは、１ｘＲＴＴのために使用され得、最低優先度を有し得、周波数Ｚも、１ｘＲＴＴのために使用され得、中間優先度を有し得る。概して、優先度リストは、ＲＡＴの任意のセットのための任意の数の周波数を含み得、ＵＥロケーションに固有であり得る。ＵＥ７１０は、たとえば、上記の例によって与えられたように、ＬＴＥ周波数が最高優先度にあり、他のＲＡＴのための周波数がより低い優先度にある優先度リストを定義することによって、利用可能なときに、ＬＴＥを選好するように構成され得る。
【００４５】
[0057]  ＵＥ７１０は、以下のようにアイドルモードで動作し得る。ＵＥ７１０は、それが、標準シナリオにおいて「好適な（suitable）」セルを見つけることが可能であるか、または緊急シナリオにおいて「許容できる（acceptable）」セルを見つけることが可能である、すべての周波数／ＲＡＴを識別し得、ただし、「好適な」および「許容できる」は、ＬＴＥ規格において指定されている。ＵＥ７１０は、次いで、すべての識別された周波数／ＲＡＴの中で最高優先度をもつ周波数／ＲＡＴにキャンプオンし得る。ＵＥ７１０は、（ｉ）周波数／ＲＡＴが所定のしきい値においてもはや利用可能でないか、または（ｉｉ）より高い優先度をもつ別の周波数／ＲＡＴがこのしきい値に達するかのいずれかまで、この周波数／ＲＡＴにキャンプオンしたままであり得る。アイドルモードにあるＵＥ７１０のためのこの動作挙動は、公開されている「Evolved Universal Terrestrial Radio Access (E-UTRA); User Equipment (UE) procedures in idle mode」と題する３ＧＰＰ  ＴＳ３６．３０４に記載されている。
【００４６】
[0058]  ＵＥ７１０は、ＬＴＥネットワーク７０２からパケット交換（ＰＳ：packet-switched）データサービスを受信することが可能であり得、アイドルモードにある間にＬＴＥネットワークにキャンプオンし得る。ＬＴＥネットワーク７０２は、ボイスオーバーインターネットプロトコル（ＶｏＩＰ）の制限されたサポートを有するか、またはＶｏＩＰのサポートを有しないことがあり、これは、しばしばＬＴＥネットワークの初期展開の場合であり得る。制限されたＶｏＩＰサポートにより、ＵＥ７１０は、ボイス呼のために別のＲＡＴの別のワイヤレスネットワークに転送され得る。この転送は回線交換（ＣＳ：circuit-switched）フォールバック（fallback）と呼ばれることがある。ＵＥ７１０は、１ｘＲＴＴ、ＷＣＤＭＡ（登録商標）、ＧＳＭなどのボイスサービスをサポートすることができるＲＡＴに転送され得る。ＣＳフォールバックを用いた呼発信の場合、ＵＥ７１０は、初めに、ボイスサービスをサポートしないことがあるソースＲＡＴ（たとえば、ＬＴＥ）のワイヤレスネットワークに接続され得る。ＵＥは、このワイヤレスネットワークを用いてボイス呼を発信し得、上位レイヤシグナリングを通して、ボイス呼をサポートすることができるターゲットＲＡＴの別のワイヤレスネットワークに転送され得る。ＵＥをターゲットＲＡＴに転送するための上位レイヤシグナリングは、様々なプロシージャ、たとえば、リダイレクションを用いた接続解放、ＰＳハンドオーバなどのためのものであり得る。
【００４７】
[0059]  本開示の態様は、たとえば、第２の無線アクセスネットワーク（ＲＡＮ）中で動作を実行するために、動作を中断した後に第１のＲＡＮ中で動作を再開するときの性能を改善するのに役立ち得る技法を提供する。本明細書で提示する技法は、特に、ネットワーク間で単一のＲＦチェーンを共有するＵＥのために適用可能であり得る。
【００４８】
[0060]  上述のように、場合によっては、たとえば、コストを低減し、サイズを低減し、電力消費量を制限するために、デバイスが単一のＲＦチェーンを用いて動作することが望ましいことがある。そのような場合、単一のＲＦチェーンが、複数のＲＡＴネットワーク間で、たとえば、パケット交換（ＰＳ）サービスのためのＬＴＥネットワークと回線交換（ＣＳ）サービスのための１ｘネットワークとの間で共有され得る。したがって、ＬＴＥ技術および１ｘ技術（たとえば、ＣＤＭＡ、ＧＳＭ、またはＵＭＴＳ）が同時にアクティブであることが可能でないことがある。
【００４９】
[0061]  ＬＴＥデータ呼がアクティブである間にＵＥが１ｘボイスページを周期的に監視するときに問題が起こり得る。１ｘへのＲＦチューン時間中に、ＬＴＥ呼はほぼ中断され得、これは、ネットワークによって予想されないことがある、ＬＴＥ  ＵＥ機能の途絶をもたらすことがある。これは、中断された動作からの再開時にＬＴＥ呼への多くの悪影響を有することがある。１つのＲＦチェーンを用いて動作するデバイスのこのアーキテクチャ／アルゴリズムは、一般に、中断ＬＴＥ（suspended LTE）として知られている。
【００５０】
[0062]  中断された動作からの再開時のＬＴＥ呼への影響を最小限に抑えるために、本開示のいくつかの態様は、１ｘネットワークへのチューンアウトの後の再開時のＵＥにおける挙動変更を実装するための技法を提供する。本開示は、ＬＴＥシステムへのＵＥチューンバックの後の迅速または高速スケジューリング要求（ＳＲ）機構を通して、ハイブリッドチューンアウェイデバイス（単一無線デバイス）のＬＴＥデータスループットおよびレイテンシ性能（LTE data throughput and latency performance）を向上させることに関する。
【００５１】
[0063]  上述のように、ＬＴＥハイブリッドチューンアウェイデバイスは、１ｘＲＴＴ、ＧＳＭ、ＴＤ−ＳＣＤＭＡまたは他の３Ｇ技術のような他のレガシーボイスサービス技術にチューンアウェイし得る。ＵＥが、着信ページまたはオーバーヘッドメッセージ更新を監視するための他の技術にチューンアウェイするとき、ＵＥは、チューンアウェイの時間中に、ＬＴＥ  ｅＮＢによってスケジュールされたデータを逃す。チューンアウェイ中に継続的間欠受信（ＣＤＲＸ：continuous discontinuous reception）または間欠送信（ＤＴＸ：discontinuous transmission）状態に入れられる場合、または、ＵＥバッファステータス報告（ＢＳＲ：buffer status report）再送信タイマーが動作している場合、ＵＥがＬＴＥシステムにチューンバックした後に、ＬＴＥ  ＵＬおよびＤＬデータスケジュールについてのさらなる著しい遅延（delay）が起こり得る。本開示は、迅速にＬＴＥデータサービスを再開し、ＬＴＥデータスループット性能を改善するために、ＬＴＥシステムへのチューンバック後のＵＥベースの迅速ＳＲ拡張（quick SR enhancement）を提供する。
【００５２】
[0064]  図８は、本開示の一態様による、ＵＥ８０２とｅＮＢ８０４との間のアップリンクデータ転送アクティビティに関与するコールフロー図８００である。ＵＥ８０２が、ＬＴＥなどの第１のＲＡＴを介して送るべきＵＬデータを有するとき、ＵＥは、バッファステータス報告（ＢＳＲ）をｅＮＢ８０４に送る。ｅＮＢ８０４は、ＢＳＲを受信し、ＵＬ許可（grant）をＵＥに送り得る。しかしながら、ＵＥ８０２は、それが８０６においてＬＴＥシステムからチューンアウェイした場合、許可を逃（miss）し得る。たとえば、ＵＥが、ＬＴＥシステム上でＵＬアクティブデータ転送（active data transfer）を行っており、ＵＥがそれのＵＬデータバッファ中にデータを有することを示すためにＢＳＲをｅＮＢに送ると仮定する。ＢＳＲが送られ、次いでＵＥが別のＲＡＴにチューンアウェイするとき、ＵＥは、チューンアウェイによりｅＮＢからのＰＵＳＣＨ許可を逃し得る。ＵＬ許可を逃した結果として、ＵＥ８０２のＭＡＣは、８０８において「ｒｅｔｘＢＳＲタイマー」を始動する。ｒｅｔｘＢＳＲタイマーは、ＵＥがチューンアウェイされる時間中に、ＬＴＥスタック上で動作し続ける。このタイマーのための一般的な設定は、３２０ｍｓである。しかしながら、この設定は、ネットワーク構成に基づいて変更され得る。一般的なチューンアウェイ時間は、可変であり、２０〜１６０ｍｓの範囲内にあり得る。チューンアウェイ期間は、ＵＥが別のＲＡＴにチューンアウェイするときのＵＥ動作に基づき得る。ＵＥが８１０においてＬＴＥシステムにチューンバックした後に、チューンアウェイ中にＵＥがＰＵＳＣＨ  ＵＬ許可を逃すことにより、データがＵＥ  ＵＬバッファ中で保留中であることになる。現在のＵＥ動作では、ＵＥは、ｒｅｔｘＢＳＲタイマーの満了時に別のＢＳＲを送ることになる。ＵＥがＬＴＥシステムにチューンバックしたときと、ｒｅｔｘＢＳＲタイマーが満了した時間との間の時間の遅延（delay）が、ＵＬデータパケットについての著しい遅延を引き起こし、したがってＵＬスループットの損失（loss）を引き起こす。
【００５３】
[0065]  引き続き図８を参照すると、上記の遅延問題（delay issue）に対処するために、本開示の一態様では、ＬＴＥシステムにチューンバックすると、ＵＥは、保留中のバッファされたＢＳＲがあるかどうかを決定する。言い換えれば、ＵＥは、それがチューンアウェイより前にＢＳＲを送ったかどうかと、ＵＥがＬＴＥシステムにチューンバックした後に、ＵＬデータ転送バッファ中のデータがバッファ中に依然として存在するかどうかとを決定する。バッファされたＢＳＲが保留中である場合、ＵＥ  ＭＡＣは、８１２において「ｒｅｔｘＢＳＲタイマー」を即時におよび自動的にリセットし、ＵＬ  ＰＵＳＣＨリソースを要求するためにＳＲを即時にトリガするかまたはＳＲをｅＮＢに送る。この即時ＳＲ（immediate SR）は、「迅速ＳＲ（quick SR）」または「高速ＳＲ（fast SR）」と呼ばれることがある。迅速ＳＲに応答してｅＮＢによって送られたＵＬ許可の受信時に、ＵＥは、許可中で示されたリソースに従って、バッファされたＵＬデータを送信し得る。したがって、ＵＥは、ｒｅｔｘＢＳＲタイマーの満了を待つ必要なしに、より時間効率的な様式でデータを送信することが可能である。
【００５４】
[0066]  ＵＬデータ転送に関係する別のシナリオでは、進行中であるバースト的ＵＬデータ転送があり得、その場合、ＵＥ  ＵＬバッファデータは常に利用可能であるとは限らない。ＵＥに、ＳＲを送らせ、ｅＮＢからＵＬ  ＰＵＳＣＨ許可を受信させた、何らかのデータがＵＥ  ＵＬデータバッファ中にあると仮定する。さらに、ＵＥが、ＲＶ０を使用してＵＬ  ＰＵＳＣＨデータを送信し、ＵＥチューンアウェイによりｅＮＢからＤＬ  ＰＨＩＣＨ  ＡＣＫ／ＮＡＣＫを受信することに失敗したと仮定する。ｅＮＢがＰＵＳＣＨデータを正しく復号することに失敗した場合、ｅＮＢはＰＨＩＣＨ  ＮＡＣＫを送ることができる。ＵＬ適応再送信の場合、ｅＮＢは、ＰＵＳＣＨ再送信のための新しいＵＬ許可を割り振ることができる。しかしながら、ＵＥがチューンアウェイされるので、この再割振りはＵＥによって逃されるであろう。ＵＥがＬＴＥシステムにチューンバックした後に、ＵＥが、ＵＬデータを送信するために、チューンアウェイより前にＵＥによって受信された同じＰＵＳＣＨリソースをブラインドで再利用する場合、このデータは、ＵＥがＰＵＳＣＨ再送信のためにＵＬ非適応ＨＡＲＱリソースを使用した場合、ｅＮＢによって正常に復号されないことがある。また、チューンアウェイした第１のＵＥに以前に割り振られた同じリソースが、その後ｅＮＢによって第２のＵＥに割り振られた場合、第１のＵＥが再送信のためにＬＴＥシステムにチューンバックした後の、第１のＵＥによる同じＰＵＳＣＨリソースのブラインド再利用（blind re-use）は、同じリソースが割り振られた第２のＵＥとの干渉を引き起こすことになる。この干渉は、第１のＵＥと第２のＵＥの両方についてのスループットの全体的損失を生じる。
【００５５】
[0067]  失敗した復号および干渉の上記の問題は、図８に関して提示されたのと同様の様式で対処され得る。ＵＥは、（チューンアウェイの前にＰＵＳＣＨ許可がＵＥに割り振られていたことにより）ｒｅｔｘＢＳＲタイマーがこのシナリオにおいて動作しておらず、ＵＥが、再送信目的で古いＰＵＳＣＨ許可リソースを使用する代わりに新しいＰＵＳＣＨ許可リソースを要求する迅速ＳＲを送ろうとしている場合でも、ＬＴＥシステムにチューンバックするとｒｅｔｘＢＳＲタイマーを自動的におよび即時にリセットすることと、ＵＬ許可を取得するためにＳＲを即時に送ることとによって、以前に割り振られたＵＬ許可リソースのブラインド再利用を回避し得る。
【００５６】
[0068]  図９は、本開示の一態様による、ＵＥ９０２とｅＮＢ９０４との間のダウンリンクデータ転送アクティビティに関与するコールフロー図９００である。ＵＥ９０２とネットワークデバイス９０４、たとえば、ｅＮＢとの間のＤＬデータ転送が、ＬＴＥシステム上で進行中である。ＵＥ９０２は、９０６において、ＤＬデータ転送中に他のＲＡＴ９０４にチューンアウェイする。ＵＥ９０２が他のＲＡＴにチューンアウェイするとき、ＵＥはスケジュールされたＤＬデータ、たとえば、ＰＤＳＣＨデータを逃すことになる。ＵＥ９０２がＤＬデータを逃したので、ＵＥは、ＤＬデータの受信に関するＵＬ  ＨＡＲＱ  ＡＣＫ／ＮＡＣＫを送信しないことになる。ＵＥ９０２からのＵＬ  ＨＡＲＱ  ＡＣＫ／ＮＡＣＫなしの結果として、ｅＮＢ９０４は、ＵＥがＤＬデータに対してもはや応答していないと決定し得、９０８において、そのＵＥに関して電力節約モードに入り得る。たとえば、ｅＮＢ９０４は、ｄｒｘ非アクティビティタイマー（drx-Inactivity Timer）満了後のＣＤＲＸ状態、またはＤＴＸ状態のいずれかに入り得る。これらの状態のいずれかになると、ｅＮＢ９０４は、ＣＤＲＸサイクルなど、電力節約モードサイクルのオン持続時間（ON duration）中にＵＥへのＤＬデータをスケジュールすることを試み得る。ｅＮＢ９０４が、一般的に４０ｍｓである短いＣＤＲＸサイクルが終了した後に、一般的に３２０ｍｓである長いＤＲＸサイクルに入ったと仮定し、同時にＵＥが９１０においてＬＴＥシステムにチューンバックすると仮定する。この場合、ＵＥがＬＴＥシステムにチューンバックした後でも、ｅＮＢは、長いＣＤＲＸサイクルの満了時にデータをスケジュールする。これは、データ配信についてのＬＴＥ  ＤＬスループット劣化および増加したレイテンシを引き起こす。
【００５７】
[0069]  引き続き図９を参照すると、上記の遅延問題に対処するために、本開示の一態様では、ＵＥが９１０においてＬＴＥシステムにチューンバックした後、ＵＥは、ＵＥデータバッファ中で保留中のＵＬデータの存在、またはＵＥがチューンアウェイする前のＤＬの受信に関係する判定基準（criterion）のいずれかに基づいて、迅速ＳＲを送るべきかどうかを決定する。ＵＬデータがＵＥデータバッファ中で保留中の場合、ＵＥは、図８に関して上記で説明したように、ＢＳＲ送信と後続の迅速ＳＲとを自動的におよび即時に開始する。保留中のＵＥ  ＵＬバッファデータがない場合、ＵＥは、ＤＬデータ判定基準が満たされたかどうかを決定する。一構成では、ＵＥは、ＵＥが９０６においてチューンアウェイする前に「ｘ」ミリ秒の期間にわたって受信されたＤＬデータの量が、しきい値量（threshold amount）「ｙ」ビットを上回るかどうかを決定し得る。たとえば、時間期間（time period）２００ミリ秒中にＵＥ９０２によって受信されたＤＬトランスポートブロック（transport block）のサイズ（size）が、７２ビットよりも大きいかまたはそれに等しい場合、判定基準は満たされたと見なされ得る。判定基準が満たされた場合、ＵＥ９０２は迅速ＳＲを送る。迅速ＳＲに応答して、ｅＮＢ９０４は、ＵＥにＵＬ  ＰＵＳＣＨ許可を与える。この場合、ＵＥが、データバッファ中で保留中のＵＬデータ、または送るべきシグナリング情報を有しないので、ＵＥ  ＭＡＣレイヤは、所与のＭＡＣトランスポートブロック中で、たとえば、すべて０のパディングデータ（padding data）を送り得る。ＵＥ９０２によって送られたＳＲは、９１２において、ｅＮＢ９０４に、電力節約モード、たとえば、ＤＴＸ状態またはＣＤＲＸ状態から抜けさせ、ＤＬ  ＰＤＳＣＨデータスケジューリングを始動させる。
【００５８】
[0070]  上記の実装形態に関与するＳＲプロシージャは、ネットワーク側によって構成された場合、さらに「ＳＲ禁止タイマー（SR-prohibit-timer）」および「ｄｓｒ−ＴｒａｎｓＭａｘ」に従う。ＵＥがＬＴＥシステムにチューンバックした後に、ＳＲ禁止タイマー値が、１よりも大きく、依然として動作している場合、ＵＥは、タイマーをリセットし、次の利用可能な即時ＳＲ送信機会において迅速ＳＲを送ることができる。
【００５９】
[0071]  上記で説明した例以外の条件が、迅速ＳＲ機構をトリガし得る。たとえば、ＵＥが、第１のＲＡＴにキャンプオンされている間、電力節約状態、たとえばＣＤＲＸに入り、次いで第２のＲＡＴにチューンアウェイする場合、ＵＥは、ＣＤＲＸサイクルのオン期間中に、第１のＲＡＴのｅＮＢによってスケジュールされたＤＬデータを受信しないことになる。さらに、ＵＥチューンアウェイの持続時間が長く、たとえば、１秒以上である場合、ＵＥは、ｅＮＢによって試みられたすべてのＤＬデータスケジューリング試みを逃し得る。迅速ＳＲトリガリングの一実施形態によれば、第１のＲＡＴにチューンバックすると、ＵＥは、ＵＥから見たＵＬ／ＤＬデータアクティビティがない場合でも、迅速ＳＲをトリガし得る。ＵＥは、ＵＥチューンアウェイより前のアクティブＰＤＳＣＨまたはＰＵＳＣＨデータ転送アクティビティの不在に基づいて、ＵＬ／ＤＬデータアクティビティがないと決定し得る。この実施形態は、ＵＥが迅速ＳＲを送る前にＵＥのバッファ中のＵＬデータを探す、図８の実施形態、およびＵＥが迅速ＳＲを送る前にチューンアウェイより前に受信されたＤＬ許可を探す、図９の実施形態とは異なる。この実施形態では、ＵＥおよびｅＮＢはＣＤＲＸタイマーを実行していることになる。ＵＥによるチューンバック時に、これらのＣＤＲＸタイマーは、現在の規格に従ってリセット／停止され、ＵＥは迅速ＳＲを送る。
【００６０】
[0072]  図１０は、ワイヤレス通信の方法のフローチャート１０００である。本方法は、ＵＥ（たとえば、ＵＥ８０２、９０２、装置１１０２／１１０２’）によって実行され得る。ステップ１００２において、ＵＥは、ＬＴＥなど、第１のＲＡＴから、１ｘＲＴＴまたは他のＲＡＴなど、第２のＲＡＴにチューンアウェイする。チューンアウェイは、第１のＲＡＴを介した、ＵＥと、ｅＮＢなど、ネットワークデバイスとの間のデータ転送アクティビティ、たとえば、ＵＬデータ転送またはＤＬデータ転送のうちの１つ中に起こり、データ転送アクティビティに影響を及ぼす少なくとも１つのタイマーを始動する。データ転送アクティビティは、ＵＥからのアップリンクデータ転送またはＵＥへのダウンリンクデータ転送のうちの１つに関係し得る。
【００６１】
[0073]  一実装形態では、データ転送アクティビティは、ＵＥからのアップリンクデータ転送に関係し得る。図８を参照すると、このアクティビティは、ＵＥ８０２が、ＵＬスケジューリング許可を受信する目的でＢＳＲをｅＮＢ８０４に送ることを伴い得る。したがって、「データ転送アクティビティ（data transfer activity）」は、ＵＥ８０２とネットワークデバイス８０４との間のデータの実際のアクティブ転送を必ずしも伴うとは限らない。そのようなデータ転送アクティビティは、単に、実際のデータ転送を可能にするメッセージ、たとえば、ＢＳＲの送信を伴い得る。アップリンクデータ転送アクティビティの場合、少なくとも１つのタイマーは、ＵＥ８０２に関連し、ＵＥがデータ転送を要求するのをそれの間控える時間を定義し得る。したがって、このタイマーはデータ転送に影響を及ぼす。たとえば、ＵＥ８０２が、ＢＳＲを送った後にチューンアウェイする場合、ＵＥは、ＵＥが別のＢＳＲをそれの間送らないタイマーを始動する。このタイマーは、ＵＥ８０２のＢＳＲタイマーに対応し得る。引き続き図８を参照すると、データ転送アクティビティの継続を開始することは、ＵＥ８０２が少なくとも１つのタイマーをリセットすることと、少なくとも１つのタイマーのリセット時にＳＲをネットワークデバイス８０４に送ることとを含み得る。
【００６２】
[0074]  このシナリオでは、すなわち、データ転送アクティビティがアップリンクデータ転送に関係するとき、ステップ１００４において、ＵＥ８０２は、少なくとも１つのタイマーをリセットすることと、ここにおいて、タイマーがＵＥに関連する、少なくとも１つのタイマーをリセットすると即時にＳＲをネットワークデバイス８０４に送ることとによって、第１のＲＡＴにチューンバックするとアップリンクデータ転送の継続を開始する。ＵＥ８０２は、ＵＥが、ＵＥバッファ中のアップリンクデータの存在によりアップリンク許可を要求するＢＳＲを送ったので、第１のＲＡＴからのチューンアウェイのときのデータ転送がアップリンクであることを本質的に知る。
【００６３】
[0075]  別の実装形態では、データ転送アクティビティは、ＵＥへのダウンリンクデータ転送に関係し得る。図９を参照すると、このアクティビティは、ｅＮＢからのＤＬスケジューリング許可のＵＥ９０２による受信と、後続のｅＮＢ９０４からのＤＬデータの受信とを伴い得る。したがって、この場合、「データ転送アクティビティ」は、ＤＬデータの実際のアクティブ転送を伴い、ＵＥ９０２は、データのこのアクティブダウンリンク転送中にチューンアウェイする。データ転送アクティビティに影響を及ぼす少なくとも１つのタイマーは、ｅＮＢ９０４が、ＵＥ９０２がＤＬデータ転送に応答していないと決定した後に入り得る、電力節約モードのサイクルを定義し、ここにおいて、ＵＥからの応答のそのような欠如は、ＵＥによるチューンアウェイによる。サイクルは、ネットワークデバイス９０４がダウンリンクデータを送るのをそれの間控えるオフ持続時間（off duration）を有する。タイマーは、ネットワークデバイスのＤＲＸまたはＣＤＲＸタイマーであり得る。引き続き図９を参照すると、データ転送アクティビティの継続を開始することは、たとえば、ＳＲをネットワークデバイスに送ることによって、ネットワークデバイス９０４に電力節約モードから抜けさせることを含む。
【００６４】
[0076]  このシナリオでは、すなわち、データ転送アクティビティがダウンリンクデータ転送に関係するとき、ステップ１００６において、ＵＥ９０２は、ネットワークデバイス９０４に電力節約モードから抜けさせることによって、第１のＲＡＴにチューンバックするとダウンリンクデータ転送の継続を開始し、ここにおいて、少なくとも１つのタイマーは、ネットワークデバイスに関連し、電力節約モードのサイクルを定義する。ＵＥ９０２は、ＵＥ９０２が、ｅＮＢ９０４からダウンリンク許可を受信し、チューンアウェイのときにＤＬデータを受信しつつあったので、第１のＲＡＴからのチューンアウェイのときのデータ転送がダウンリンクであることを本質的に知る。
【００６５】
[0077]  図１１は、例示的な装置１１０２中の異なるモジュール／手段／構成要素間のデータフローを示す概念データフロー図１１００である。本装置はＵＥであり得る。本装置は、チューンアウェイ／チューンバックモジュール（tune away / tune back module）１１０４と、開始モジュール（initiating module）１１０６と、送信モジュール（transmission module）１１０８とを含む。
【００６６】
[0078]  チューンアウェイ／チューンバックモジュール１１０４は、第１のＲＡＴを介したＵＥとネットワークデバイス１１５０との間のデータ転送アクティビティ中に、第１のＲＡＴから第２のＲＡＴにチューンアウェイする。チューンアウェイすることは、データ転送アクティビティに影響を及ぼす少なくとも１つのタイマーを始動する。アップリンクデータ転送の場合、タイマーはＵＥ１１０２中に含まれる。ダウンリンクデータ転送の場合、タイマーはネットワークデバイス１１５０中に含まれる。
【００６７】
[0079]  開始モジュール１１０６は、第１のＲＡＴへのＵＥのチューンバック時に即時にデータ転送アクティビティの継続を開始する。アップリンクデータ転送の場合、開始モジュール１１０６は、ＵＥ中に含まれるタイマーをリセットし、送信モジュール１１０８を通してネットワークデバイス１１５０にＳＲを送る。ダウンリンクデータの場合、開始モジュールは、送信モジュール１１０８を通してネットワークデバイスにＳＲを送ることによって、ネットワークデバイス中に含まれるタイマーをリセットする。
【００６８】
[0080]  装置１１０２は、図８および図９の上述のコールフロー図ならびに図１０のフローチャート中のアルゴリズムのステップの各々を実行する追加のモジュールを含み得る。したがって、図８および図９の上述のコールフロー図ならびに図１０のフローチャート中の各ステップは、１つのモジュールによって実行され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６９】
[0081]  図１２は、処理システム１２１４を採用する装置１１０２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４、モジュール１１０４、１１０６、１１０８、およびコンピュータ可読媒体／メモリ１２０６によって表される１つまたは複数のプロセッサおよび／またはハードウェアモジュールを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００７０】
[0082]  処理システム１２１４はトランシーバ１２１０に結合され得る。トランシーバ１２１０は１つまたは複数のアンテナ１２２０に結合される。トランシーバ１２１０は、伝送媒体を介して様々な他の装置と通信するための手段を与える。トランシーバ１２１０は、１つまたは複数のアンテナ１２２０から信号を受信し、受信された信号から情報を抽出し、抽出された情報を処理システム１２１４に与える。さらに、トランシーバ１２１０は、処理システム１２１４、特に送信モジュール１１０８から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システムは、モジュール１１０４、１１０６、および１１０８のうちの少なくとも１つをさらに含む。モジュールは、コンピュータ可読媒体／メモリ１２０６中に常駐する／記憶された、プロセッサ１２０４中で動作するソフトウェアモジュールであるか、プロセッサ１２０４に結合された１つまたは複数のハードウェアモジュールであるか、またはそれらの何らかの組合せであり得る。処理システム１２１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００７１】
[0083]  一構成では、ワイヤレス通信のための装置１１０２／１１０２’は、第１のＲＡＴを介したＵＥとネットワークデバイスとの間のデータ転送アクティビティ中に第１のＲＡＴから第２のＲＡＴにチューンアウェイするための手段１１０４を含み、ここにおいて、データアクティビティ転送は、ＵＥからのアップリンクデータ転送またはＵＥへのダウンリンクデータ転送のうちの１つに関係し、チューンアウェイすることが、データ転送アクティビティに影響を及ぼす少なくとも１つのタイマーを始動する。ワイヤレス通信のための装置１１０２／１１０２’は、少なくとも１つのタイマーをリセットすることと、少なくとも１つのタイマーのリセット時にＳＲをネットワークデバイスに送ることとによって、第１のＲＡＴにチューンバックするとアップリンクデータ転送の継続を開始するための手段１１０６をも含み、ここにおいて、タイマーはＵＥに関連する。ワイヤレス通信のための装置１１０２／１１０２’は、ネットワークデバイスに電力節約モードから抜けさせることによって、第１のＲＡＴにチューンバックするとダウンリンクデータ転送の継続を開始するための手段１１０６をも含み、ここにおいて、少なくとも１つのタイマーは、ネットワークデバイスに関連し、電力節約モードのサイクルを定義する。ワイヤレス通信のための装置１１０２／１１０２’は、ダウンリンクデータ転送の継続を開始するより前に、ＵＥがチューンアウェイすることより前のダウンリンクデータアクティビティ（downlink data activity）に関係する判定基準が満たされたかどうかを決定するための手段１２０４をも含み得る。
【００７２】
[0084]  上述の手段は、上述の手段によって具陳された機能を実行するように構成された、装置１１０２、および／または装置１１０２’の処理システム１２１４の上述のモジュールのうちの１つまたは複数であり得る。上記で説明したように、処理システム１２１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【００７３】
[0085]  別の構成では、ＵＥのワイヤレス通信の方法が、第１のＲＡＴにキャンプオンしている間に電力節約モードに入ることと、電力節約モードは、ＵＥが第１のＲＡＴを介してデータをそれの間送信および／または受信するオン持続時間を有する、第１のＲＡＴから第２のＲＡＴにチューンアウェイすることと、ここにおいて、チューンアウェイすることが、オン持続時間中にＵＥと第１のＲＡＴとの間のデータ受信および／または送信に影響を及ぼす、第１のＲＡＴにチューンバックすると即時にＵＥと第１のＲＡＴとの間のデータ受信および／または送信の継続を開始することとを含む。
【００７４】
[0086]  同様に、ワイヤレス通信のためのＵＥが、ＲＡＴにキャンプオンしている間に電力節約モードに入るための手段と、電力節約モードは、ＵＥが第１のＲＡＴを介してデータをそれの間送信および／または受信するオン持続時間を有する、第１のＲＡＴから第２のＲＡＴにチューンアウェイするための手段と、ここにおいて、チューンアウェイすることが、オン持続時間中にＵＥと第１のＲＡＴとの間のデータ受信および／または送信に影響を及ぼす、第１のＲＡＴにチューンバックすると即時にＵＥと第１のＲＡＴとの間のデータ受信および／または送信の継続を開始するための手段とを含む。
【００７５】
[0087]  同様に、ワイヤレス通信のためのＵＥは、メモリと、メモリに結合された少なくとも１つのプロセッサとを含む。プロセッサは、ＵＥに、第１のＲＡＴにキャンプオンしている間に電力節約モードに入ることと、電力節約モードは、ＵＥが第１のＲＡＴを介してデータをそれの間送信および／または受信するオン持続時間を有する、第１のＲＡＴから第２のＲＡＴにチューンアウェイすることと、ここにおいて、チューンアウェイすることが、オン持続時間中にＵＥと第１のＲＡＴとの間のデータ受信および／または送信に影響を及ぼす、第１のＲＡＴにチューンバックすると即時にＵＥと第１のＲＡＴとの間のデータ受信および／または送信の継続を開始することとを行わせるように構成される。
【００７６】
[0088]  同様に、ＵＥのコンピュータ可読媒体が、少なくとも１つのプロセッサ上で実行されたとき、ＵＥに、第１のＲＡＴにキャンプオンしている間に電力節約モードに入ることと、電力節約モードは、ＵＥが第１のＲＡＴを介してデータをそれの間送信および／または受信するオン持続時間を有する、第１のＲＡＴから第２のＲＡＴにチューンアウェイすることと、ここにおいて、チューンアウェイすることが、オン持続時間中にＵＥと第１のＲＡＴとの間のデータ受信および／または送信に影響を及ぼす、第１のＲＡＴにチューンバックすると即時にＵＥと第１のＲＡＴとの間のデータ受信および／または送信の継続を開始することとを行わせるコードを含む。
【００７７】
[0089]  開示したプロセス／フローチャートにおけるステップの特定の順序または階層は、例示的な手法の一例であることを理解されたい。設計選好に基づいて、プロセス／フローチャートにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７８】
[0090]  以上の説明は、本明細書で説明した様々な態様を当業者が実施できるようにするために与えたものである。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）のワイヤレス通信の方法であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイすること、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、および
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始すること、ここにおいて、前記タイマーが前記ＵＥに関連する、あるいは
前記ネットワークデバイスに電力節約モードから抜けさせることによって、前記第１のＲＡＴにチューンバックするとダウンリンクデータ転送の継続を開始すること、ここにおいて、前記少なくとも１つのタイマーが、前記ネットワークデバイスに関連し、前記電力節約モードのサイクルを定義する、
を備える、方法。
［Ｃ２］
前記少なくとも１つのタイマーは、前記ＵＥがデータ転送を要求するのをその間控える時間を定義する、Ｃ１に記載の方法。
［Ｃ３］
前記少なくとも１つのタイマーが、前記ＵＥのバッファステータス報告（ＢＳＲ）タイマーに対応する、Ｃ２に記載の方法。
［Ｃ４］
前記電力節約モードの前記サイクルは、前記ネットワークデバイスがダウンリンクデータを送るのをその間控えるオフ持続時間を備える、Ｃ１に記載の方法。
［Ｃ５］
前記少なくとも１つのタイマーが、前記ネットワークデバイスの間欠受信（ＤＲＸ）タイマーに対応する、Ｃ４に記載の方法。
［Ｃ６］
前記ネットワークデバイスに前記電力節約モードから抜けさせることが、スケジューリング要求（ＳＲ）を前記ネットワークデバイスに送ることを備える、Ｃ１に記載の方法。
［Ｃ７］
ダウンリンクデータ転送の継続を開始するより前に、前記ＵＥがチューンアウェイすることより前のダウンリンクデータアクティビティに関係する判定基準が満たされたかどうかを決定することをさらに備える、Ｃ１に記載の方法。
［Ｃ８］
前記判定基準は、前記ＵＥがチューンアウェイすることより前の時間期間中に前記ＵＥによって受信されたダウンリンクデータのサイズの測度（measure）を備える、Ｃ７に記載の方法。
［Ｃ９］
ワイヤレス通信のためのユーザ機器（ＵＥ）であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイするための手段と、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始するための手段と、ここにおいて、前記タイマーが前記ＵＥに関連する、
前記ネットワークデバイスに電力節約モードから抜けさせることによって、前記第１のＲＡＴにチューンバックするとダウンリンクデータ転送の継続を開始するための手段と、ここにおいて、前記少なくとも１つのタイマーが、前記ネットワークデバイスに関連し、前記電力節約モードのサイクルを定義する、
を備える、ユーザ機器。
［Ｃ１０］
前記少なくとも１つのタイマーは、前記ＵＥがデータ転送を要求するのをその間控える時間を定義する、Ｃ９に記載のユーザ機器。
［Ｃ１１］
前記少なくとも１つのタイマーが、前記ＵＥのバッファステータス報告（ＢＳＲ）タイマーに対応する、Ｃ１０に記載のユーザ機器。
［Ｃ１２］
前記電力節約モードの前記サイクルは、前記ネットワークデバイスがダウンリンクデータを送るのをその間控えるオフ持続時間を備える、Ｃ９に記載のユーザ機器。
［Ｃ１３］
前記少なくとも１つのタイマーが、前記ネットワークデバイスの間欠受信（ＤＲＸ）タイマーに対応する、Ｃ１２に記載のユーザ機器。
［Ｃ１４］
前記ネットワークデバイスに前記電力節約モードから抜けさせることが、スケジューリング要求（ＳＲ）を前記ネットワークデバイスに送ることを備える、Ｃ９に記載のユーザ機器。
［Ｃ１５］
ダウンリンクデータ転送の継続を開始するより前に、前記ＵＥがチューンアウェイすることより前のダウンリンクデータアクティビティに関係する判定基準が満たされたかどうかを決定するための手段をさらに備える、Ｃ９に記載のユーザ機器。
［Ｃ１６］
前記判定基準は、前記ＵＥがチューンアウェイすることより前の時間期間中に前記ＵＥによって受信されたダウンリンクデータのサイズの測度を備える、Ｃ１５に記載のユーザ機器。
［Ｃ１７］
ワイヤレス通信のためのユーザ機器（ＵＥ）であって、
メモリと、
前記メモリに結合された少なくとも１つのプロセッサと
を備え、前記少なくとも１つのプロセッサは、
第１の無線アクセス技術（ＲＡＴ）を介した前記ＵＥとネットワークデバイスとの間のデータ転送アクティビティ中に前記第１のＲＡＴから第２のＲＡＴにチューンアウェイすることと、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始することと、ここにおいて、前記タイマーが前記ＵＥに関連する、
前記ネットワークデバイスに電力節約モードから抜けさせることによって、前記第１のＲＡＴにチューンバックするとダウンリンクデータ転送の継続を開始することと、ここにおいて、前記少なくとも１つのタイマーが、前記ネットワークデバイスに関連し、前記電力節約モードのサイクルを定義する、
を行うように構成された、
ユーザ機器。
［Ｃ１８］
前記少なくとも１つのタイマーは、前記ＵＥがデータ転送を要求するのをその間控える時間を定義する、Ｃ１７に記載のユーザ機器。
［Ｃ１９］
前記少なくとも１つのタイマーが、前記ＵＥのバッファステータス報告（ＢＳＲ）タイマーに対応する、Ｃ１８に記載のユーザ機器。
［Ｃ２０］
前記電力節約モードの前記サイクルは、前記ネットワークデバイスがダウンリンクデータを送るのをその間控えるオフ持続時間を備える、Ｃ１７に記載のユーザ機器。
［Ｃ２１］
前記少なくとも１つのタイマーが、前記ネットワークデバイスの間欠受信（ＤＲＸ）タイマーに対応する、Ｃ２０に記載のユーザ機器。
［Ｃ２２］
前記ネットワークデバイスに前記電力節約モードから抜けさせることが、スケジューリング要求（ＳＲ）を前記ネットワークデバイスに送ることを備える、Ｃ１７に記載のユーザ機器。
［Ｃ２３］
前記プロセッサは、ダウンリンクデータ転送の継続を開始するより前に、前記ＵＥがチューンアウェイすることより前のダウンリンクデータアクティビティに関係する判定基準が満たされたかどうかを決定するようにさらに構成された、Ｃ１７に記載のユーザ機器。
［Ｃ２４］
前記判定基準は、前記ＵＥがチューンアウェイすることより前の時間期間中に前記ＵＥによって受信されたダウンリンクデータのサイズの測度を備える、Ｃ２３に記載のユーザ機器。
［Ｃ２５］
ユーザ機器（ＵＥ）によるワイヤレス通信のためのコンピュータ実行可能コードを記憶するコンピュータ可読媒体であって、
第１の無線アクセス技術（ＲＡＴ）を介した前記ＵＥとネットワークデバイスとの間のデータ転送アクティビティ中に前記第１のＲＡＴから第２のＲＡＴにチューンアウェイすることと、ここにおいて、データアクティビティ転送が、アップリンクデータ転送またはダウンリンクデータ転送のうちの１つに関係し、チューンアウェイすることが、前記データ転送アクティビティに影響を及ぼす少なくとも１つのタイマーを始動する、
前記少なくとも１つのタイマーをリセットすることと、前記少なくとも１つのタイマーのリセット時にスケジューリング要求（ＳＲ）を前記ネットワークデバイスに送ることとによって、前記第１のＲＡＴにチューンバックするとアップリンクデータ転送の継続を開始することと、ここにおいて、前記タイマーが前記ＵＥに関連する、
前記ネットワークデバイスに電力節約モードから抜けさせることによって、前記第１のＲＡＴにチューンバックするとダウンリンクデータ転送の継続を開始することと、ここにおいて、前記少なくとも１つのタイマーが、前記ネットワークデバイスに関連し、前記電力節約モードのサイクルを定義する、
を行うためのコードを備える、コンピュータ可読媒体。
［Ｃ２６］
前記少なくとも１つのタイマーは、前記ＵＥがデータ転送を要求するのをその間控える時間を定義する、Ｃ２５に記載のコンピュータ可読媒体。
［Ｃ２７］
前記少なくとも１つのタイマーが、前記ＵＥのバッファステータス報告（ＢＳＲ）タイマーに対応する、Ｃ２６に記載のコンピュータ可読媒体。
［Ｃ２８］
前記電力節約モードの前記サイクルは、前記ネットワークデバイスがダウンリンクデータを送るのをその間控えるオフ持続時間を備える、Ｃ２５に記載のコンピュータ可読媒体。
［Ｃ２９］
前記少なくとも１つのタイマーが、前記ネットワークデバイスの間欠受信（ＤＲＸ）タイマーに対応する、Ｃ２８に記載のコンピュータ可読媒体。
［Ｃ３０］
前記ネットワークデバイスに前記電力節約モードから抜けさせるためのコードが、スケジューリング要求（ＳＲ）を前記ネットワークデバイスに送るためのコードを備える、Ｃ２５に記載のコンピュータ可読媒体。
【図１】
0006571159.tif 000002
【図２】
0006571159.tif 000003
【図３】
0006571159.tif 000004
【図４】
0006571159.tif 000005
【図５】
0006571159.tif 000006
【図６】
0006571159.tif 000007
【図７】
0006571159.tif 000008
【図８】
0006571159.tif 000009
【図９】
0006571159.tif 000010
【図１０】
0006571159.tif 000011
【図１１】
0006571159.tif 000012
【図１２】
0006571159.tif 000013